(57)【特許請求の範囲】
【請求項１】
送信データ系列を符号化した符号化系列を分割して複数のキャリアで送信する送信機とともに通信システムを構成し、受信信号をキャリアごとのキャリア受信信号に分離して復調後、結合および復号する受信機において、
前記キャリア受信信号を復調した復調系列から干渉信号を検出し、前記干渉信号の有無を干渉信号検出結果として出力する干渉検出部と、
前記干渉検出部から出力された前記干渉信号検出結果に応じてレベル制御情報を生成するレベル制御部と、
前記レベル制御部から出力された前記レベル制御情報を基に、前記復調系列のレベルを調整するレベル調整部と、
前記干渉信号の検出および除去を制御する干渉検出除去制御部と、を有し、
前記干渉検出除去制御部は、前記干渉信号の周波数の変動を検出し、前記干渉信号の検出のための時間を調整することを特徴とする受信機。
【請求項２】
前記干渉検出部は、前記復調系列の電力としきい値との比較により、前記干渉信号の有無を判定することを特徴とする請求項１に記載の受信機。
【請求項３】
前記干渉検出部は、前記復調系列の信号対干渉電力比としきい値との比較により、前記干渉信号の有無を判定することを特徴とする請求項１に記載の受信機。
【請求項４】
前記レベル調整部は、前記干渉信号を有する前記復調系列のレベルをゼロに調整することを特徴とする請求項１から３のいずれか一つに記載の受信機。
【請求項５】
送信データ系列を符号化した符号化系列を分割して複数のキャリアで送信する送信機と、
受信信号をキャリアごとのキャリア受信信号に分離して復調後、結合および復号する受信機と、を有し、
前記受信機は、
前記キャリア受信信号を復調した復調系列から干渉信号を検出し、前記干渉信号の有無を干渉信号検出結果として出力する干渉検出部と、
前記干渉検出部から出力された前記干渉信号検出結果に応じてレベル制御情報を生成するレベル制御部と、
前記レベル制御部から出力された前記レベル制御情報を基に、前記復調系列のレベルを調整するレベル調整部と、
前記干渉信号の検出および除去を制御する干渉検出除去制御部と、を有し、
前記干渉検出除去制御部は、前記干渉信号の周波数の変動を検出し、前記干渉信号の検出のための時間を調整することを特徴とする通信システム。
【請求項６】
前記送信機は、前記符号化系列のインタリーブを実施するインタリーブ部を有し、
前記受信機は、干渉信号を有するキャリアの組み合わせに応じてインタリーブパターンを選択するインタリーブパターン選択部を有し、
前記インタリーブパターン選択部は、選択したインタリーブパターンのインタリーブパターン番号を出力し、
前記インタリーブ部は、前記受信機から送信される前記インタリーブパターン番号に応じてインタリーブパターンを変更し、前記インタリーブを実施することを特徴とする請求項５に記載の通信システム。
【請求項７】
前記送信機は、
前記受信機から送信される拡散率を基に伝送レートを制御する伝送レート制御部と、
分割後の送信ビット系列を前記拡散率に従って拡散する拡散部と、を有し、
前記受信機は、
前記キャリア受信信号を復調した復調系列の信号対干渉電力比に応じて前記拡散率を求める拡散率計算部と、
前記復調系列のレベルを前記拡散率に応じて逆拡散する逆拡散部と、を有することを特徴とする請求項５に記載の通信システム。
【発明の詳細な説明】
【技術分野】
【０００１】
本発明は、受信機および通信システムに関する。
【背景技術】
【０００２】
例えば、特許文献１に公開されている従来の送信機は、入力データ系列を誤り訂正符号化した符号化系列を複数の送信データ系列に分割し、互いに異なるキャリア周波数のスペクトル拡散変調波に変換して送信する。これに対応する受信機は、受信信号を各キャリア成分に分離するとともにベースバンド信号に変換し、各ベースバンド信号のスペクトル逆拡散によって上記の送信データ系列を検波する。また、受信機は、これらの検波データ系列と上記の符号化系列との結合および復号を経て、上記の入力データ系列に相当する出力データ系列を得る。特許文献１には、送信データ系列を拡散系列でスペクトル拡散する通信方式において、受信機で送信データ系列を検波する際、デコリレータなどを用いて他ユーザからの干渉を除去する技術が提案されている。
【０００３】
また、特許文献２に公開されている従来の送信機は、入力データ系列を畳み込み符号化後にインタリーブし、そのインタリーブ系列をシリアルパラレル変換して複数の送信データ系列に分割する。また、送信機は、各送信データ系列を１６値差動振幅位相変調（スター１６ＱＡＭ変調）し、それぞれ異なるキャリアで送信する。これに対応する受信機は、受信信号を各キャリア成分に分離後、それぞれの多シンボル遅延検波で上記送信データ系列を復調する。また、受信機は、これらの復調された系列をパラレルシリアル変換により上記インタリーブ系列に変換し、その系列のデインタリーブおよびビタビ復号を経て、上記の入力データ系列に相当する出力データ系列を得る。
【先行技術文献】
【特許文献】
【０００４】
【特許文献１】特開平７−１１１４９５号公報
【特許文献２】特開平８−１６３０７７号公報
【発明の概要】
【発明が解決しようとする課題】
【０００５】
入力データ系列を符号化後に複数の送信データ系列に分割し、それぞれ異なるキャリアで送信する従来の送信システムでは、いずれかのキャリアに例えば１０００倍程度の大電力の干渉信号が混入した場合に、高速伝送ができなくなることが問題となる。干渉信号に耐性のあるスペクトル拡散方式を採用する特許文献１の技術では、干渉信号に対する耐性を強くするために拡散利得を大きくする必要がある。限られた信号帯域内で拡散利得を大きくすると伝送速度は低速になることから、耐干渉性と高速伝送との両立は困難である。特許文献２の技術では伝送の高速化の観点からスペクトル拡散方式を用いていないが、いずれかのキャリアに大電力の干渉信号が混入した場合に復号ができなくなるという問題がある。
【０００６】
本発明は、上記に鑑みてなされたものであって、入力データ系列を符号化後に複数の送信データ系列に分割し、それぞれ異なるキャリアで送信する通信システムにて、いずれかのキャリアに大電力の干渉信号が混入した場合でも高速伝送を可能とすることを目的とする。また、干渉信号の周波数が変動する場合でも高速伝送を可能とすることを目的とする。また、通信に使用する信号の周波数帯域幅全体に干渉信号の周波数帯域が渡る場合に、伝送レートを落としても、使用する周波数帯域幅を変更すること無く通信を継続可能とすることを目的とする。
【課題を解決するための手段】
【０００７】
上述した課題を解決し、目的を達成するために、本発明は、送信データ系列を符号化した符号化系列を分割して複数のキャリアで送信する送信機とともに通信システムを構成し、受信信号をキャリアごとのキャリア受信信号に分離して復調後、結合および復号する受信機において、キャリア受信信号を復調した復調系列から干渉信号を検出し、干渉信号の有無を干渉信号検出結果として出力する干渉検出部と、干渉検出部から出力された干渉信号検出結果に応じてレベル制御情報を生成するレベル制御部と、レベル制御部から出力されたレベル制御情報を基に、復調系列のレベルを調整するレベル調整部と、を有することを特徴とする。
【発明の効果】
【０００８】
本発明によれば、いずれかのキャリアに大電力の干渉信号が混入した場合でも高速伝送が可能となるという効果を奏する。
【図面の簡単な説明】
【０００９】
【図１】図１は、実施の形態１にかかる通信システムを構成する送信機の構成を示すブロック図である。
【図２】図２は、実施の形態１にかかる通信システムを構成する受信機の構成を示すブロック図である。
【図３】図３は、インタリーブ部によるインタリーブについて説明する図である。
【図４】図４は、合波部への入力信号および出力信号のイメージを示す図である。
【図５】図５は、干渉検出除去制御部において平均化時間を調整する手順を説明するフローチャートである。
【図６】図６は、干渉信号の周波数の変動の例を示す図である。
【図７】図７は、平均化時間を調整しない場合における、干渉信号が検出されるキャリアの位置と時間との関係の例を示す図である。
【図８】図８は、平均化時間を調整する場合における、干渉信号が検出されるキャリアの位置と時間との関係の例を示す図である。
【図９】図９は、レベル制御部におけるゲイン情報の生成について説明する図である。
【図１０】図１０は、干渉検出部およびレベル制御部での処理による効果を説明する図である。
【図１１】図１１は、実施の形態３にかかる通信システムを構成する送信機の構成を示すブロック図である。
【図１２】図１２は、実施の形態３にかかる通信システムを構成する受信機の構成を示すブロック図である。
【図１３】図１３は、インタリーブパターンテーブルの一例を示す図である。
【図１４】図１４は、インタリーブパターン選択テーブルの一例を示す図である。
【図１５】図１５は、インタリーブパターンの更新について具体的に説明する図である。
【図１６】図１６は、実施の形態４にかかる通信システムを構成する送信機の構成を示すブロック図である。
【図１７】図１７は、実施の形態４にかかる通信システムを構成する受信機の構成を示すブロック図である。
【図１８】図１８は、拡散率計算部において拡散率を判定するための判定式の例を示す図である。
【図１９】図１９は、拡散率の更新について具体的に説明する図である。
【図２０】図２０は、実施の形態５にかかる通信システムを構成する受信機の構成を示すブロック図である。
【図２１】図２１は、受信信号を受信する複素平面上の象限を表した図である。
【図２２】図２２は、平均ベクトルおよび瞬時ベクトルを示す図である。
【発明を実施するための形態】
【００１０】
以下に、本発明にかかる受信機および通信システムの実施の形態を図面に基づいて詳細に説明する。なお、この実施の形態によりこの発明が限定されるものではない。
【００１１】
実施の形態１．
図１は、実施の形態１にかかる通信システムを構成する送信機の構成を示すブロック図である。図２は、実施の形態１にかかる通信システムを構成する受信機の構成を示すブロック図である。
【００１２】
図１に示す送信機１００は、符号化部１０１、インタリーブ部１０２、分割部１０３、変調部１０４、合波部１０５および無線部１０６を有する。符号化部１０１は、入力データ系列を誤り訂正符号化した符号化系列を出力するブロックである。インタリーブ部１０２は、符号化系列の並び順を入れ替えたインタリーブ系列を出力するブロックである。分割部１０３は、インタリーブ系列を複数の系列に分割した送信ビット系列を出力するブロックである。
【００１３】
変調部１０４は、送信ビット系列に対して変調処理を行い、変調系列を出力するブロックである。合波部１０５は、複数の変調系列をそれぞれ異なるキャリア周波数に変換し、それらを合成した送信ベースバンド信号を出力するブロックである。無線部１０６は、送信ベースバンド信号をＤ／Ａ変換後、アップコンバートを施し、送信波として出力するブロックである。
【００１４】
図２に示す受信機２００は、無線部２０１、分波部２０２、復調部２０３、遅延部２０４、干渉検出部２０５、干渉検出除去制御部２０６、レベル制御部２０７、レベル調整部２０８、結合部２０９、デインタリーブ部２１０および復号部２１１を有する。
【００１５】
無線部２０１は、受信波をダウンコンバートの後にＡ／Ｄ変換し、受信ベースバンド信号を出力するブロックである。分波部２０２は、受信ベースバンド信号を各キャリアの信号に分離し、キャリア受信信号として出力するブロックである。復調部２０３は、キャリア受信信号を復調し、復調系列を出力するブロックである。
【００１６】
遅延部２０４は、干渉検出除去制御部２０６から入力される平均化時間に従って復調系列を遅延させ、遅延復調系列を出力するブロックである。干渉検出部２０５は、干渉検出除去制御部２０６から入力される平均化時間に従い、復調系列から干渉信号を検出するブロックである。干渉検出部２０５は、干渉信号の有無を干渉信号検出結果として出力する。
【００１７】
干渉検出除去制御部２０６は、干渉信号の検出のための平均化時間を各キャリアの干渉信号検出結果に応じて決定し、出力するブロックである。干渉検出除去制御部２０６は、干渉信号の検出および除去を制御する。レベル制御部２０７は、干渉信号検出結果に応じてレベル制御情報（ゲイン情報）を生成し、出力するブロックである。レベル調整部２０８は、ゲイン情報を基に遅延復調系列のレベルを調整し、レベル調整復調系列を出力するブロックである。
【００１８】
結合部２０９は、各キャリアのレベル調整復調系列を結合し、全復調系列を出力するブロックである。デインタリーブ部２１０は、インタリーブ部１０２での処理とは逆の処理によって全復調系列の並び順を入れ替え、デインタリーブ系列を出力するブロックである。復号部２１１は、デインタリーブ系列を復号し、入力データ系列に相当する出力データ系列を出力するブロックである。
【００１９】
次に、送信機１００の動作について説明する。送信機１００へ入力される入力データ系列は、まず符号化部１０１に入力される。入力データ系列は、符号化部１０１で畳み込み符号化され、符号化系列として出力される。なお、符号化部１０１は、本発明を限定する要素ではないものとする。
【００２０】
符号化系列は、インタリーブ部１０２へ入力され、インタリーブが施され、インタリーブ系列として出力される。インタリーブは、符号化系列のビットの並び順を入れ替える処理であって、送信キャリア数および変調多値数の積と等しいビット数単位で実施される。例えば、送信キャリア数を８、変調方式を変調多値数２のＱＰＳＫとする場合、インタリーブ部１０２は、１６ビット単位でインタリーブを実施する。
【００２１】
図３は、インタリーブ部によるインタリーブについて説明する図である。ここでは、１６ビット単位でインタリーブを実施する場合を例とする。インタリーブ部１０２は、１６個の数字で構成されるインタリーブパターンＰ０〜Ｐ１５を内部に持つ。インタリーブパターンの各数字（０、４、８・・・）は、出力するビットの順番を表している。入力される符号化系列の１６ビットをＤ０、Ｄ１、・・・Ｄ１５と表す場合、符号化系列は、インタリーブパターンと同じになるように並び替えられ（Ｄ０、Ｄ４、Ｄ８・・・）、インタリーブ系列として出力される。
【００２２】
インタリーブ系列は、分割部１０３に入力され、複数の送信ビット系列に分割される。分割方法は、シリアルパラレル変換とする。例えば、送信キャリア数を８とする場合、分割部１０３は、インタリーブ系列の先頭ビットから、ビット単位でキャリア＃１、＃２、・・・、＃８、＃１、・・・と、順に分割する。
【００２３】
各送信ビット系列は、変調部１０４に入力される。送信ビット系列は、ＱＰＳＫなどの情報変調、波形整形、サンプルレート変換などの変換処理が施され、複素の変調系列として出力される。なお、変調部１０４は、本発明を限定する要素ではないものとする。情報変調、波形整形、サンプルレート変換などは、一般的に実施されている処理であって、詳細な説明を省略する。
【００２４】
各キャリアの変調信号は、合波部１０５に入力され、１つの送信ベースバンド信号に合成される。図４は、合波部への入力信号および出力信号のイメージを示す図である。ここでは、ｎキャリアの変調信号Ｃ１〜Ｃｎを、変調系列として合波部１０５へ入力する場合を例とする。
【００２５】
各キャリアの変調信号は、それぞれ中心周波数ゼロのベースバンド信号である。それらをそれぞれ異なる周波数に変換してから合成することにより、送信ベースバンド信号は生成される。送信ベースバンド信号は無線部１０６に入力され、Ｄ／Ａ変換後にアップコンバートにより送信波に変換されて、出力される。
【００２６】
次に、受信機２００の動作について説明する。アンテナで受信された受信波は、無線部２０１に入力される。受信波は、無線部２０１において、ダウンコンバートの後、Ａ／Ｄ変換され、受信ベースバンド信号に変換される。
【００２７】
受信ベースバンド信号は、分波部２０２に入力される。受信ベースバンド信号は、キャリアごとのベースバンド信号であるキャリア受信信号に分離され、出力される。ここでは、合波部１０５による図４に示す処理とは逆の処理を行う。
【００２８】
キャリア受信信号は、復調部２０３に入力される。キャリア受信信号は、波形整形、ビットタイミング再生によるナイキスト点抽出、周波数偏差補正などの復調処理が施され、復調系列として出力される。なお、本処理は、本発明を限定するものではない。波形整形、ビットタイミング再生、周波数偏差補正などは、一般的に実施されている処理であって、詳細な説明を省略する。
【００２９】
復調系列は、遅延部２０４および干渉検出部２０５に入力される。干渉検出部２０５は、復調系列の平均電力を計算し、その電力としきい値とを比較する。干渉検出部２０５は、復調系列の電力がしきい値以上である場合に干渉信号有り、しきい値未満である場合に干渉信号無し、と判定する。
【００３０】
平均化時間は、干渉検出除去制御部２０６から干渉検出部２０５に入力される。しきい値は、干渉信号が無い場合の既知の平均受信電力に所定のオフセットを加算したものとする。干渉検出部２０５による干渉信号検出結果は１ビットで表され、例えば、干渉信号無しの場合に「１」、干渉信号有りの場合に「０」として出力される。
【００３１】
干渉検出部２０５による干渉信号検出結果は、干渉検出除去制御部２０６に入力される。干渉検出除去制御部２０６は、前回および今回の干渉信号検出結果から干渉信号の周波数変動を検出し、その結果を基に平均化時間Ｔａｖｅを調整する。平均化時間Ｔａｖｅは、最小平均化時間Ｔｍｉｎを用いて、Ｔａｖｅ＝ｍ×Ｔｍｉｎと表されるものとする。パラメータｍは、例えば１、２、４のいずれかの整数値をとるものであって、初期値を４とする。
【００３２】
図５は、干渉検出除去制御部において平均化時間を調整する手順を説明するフローチャートである。ここではパラメータｍの具体的な決定方法を説明する。なお、図５においてｍ以外の変数の初期値は全てゼロとする。
【００３３】
まず、干渉検出除去制御部２０６は、各キャリアの今回の干渉信号検出結果から、干渉信号を有するキャリアが連続する数（連続キャリア数Ａｎ）と、その連続するキャリアの先頭のキャリア番号（先頭キャリア番号Ｃｎ）とを調査する（ステップＳ００１）。なお、今回の調査において連続するキャリアが複数存在する場合、連続する数が最大となるものを選択する。
【００３４】
次に、干渉検出除去制御部２０６は、ステップＳ００１で得た連続キャリア数Ａｎが２以上であるか否かを判定する（ステップＳ００２）。連続キャリア数Ａｎが２以上である場合（ステップＳ００２、Ｙｅｓ）、干渉検出除去制御部２０６は、前回の干渉信号検出結果から得た、干渉信号を有するキャリアの連続キャリア数Ａｐが２以上であるか否かを判定する（ステップＳ００３）。
【００３５】
前回の連続キャリア数Ａｐが２以上である場合（ステップＳ００３、Ｙｅｓ）、干渉検出除去制御部２０６は、前回の干渉信号検出結果における先頭キャリア番号Ｃｐと今回の先頭キャリア番号Ｃｎとの差Ｄｎを計算する（ステップＳ００４）。
【００３６】
次に、干渉検出除去制御部２０６は、前回の連続キャリア数Ａｐと今回の連続キャリア数Ａｎとの差分｜Ａｐ−Ａｎ｜が、予め設定された差分しきい値Ａｔｈ以下であるか否かを判定する（ステップＳ００５）。
【００３７】
差分｜Ａｐ−Ａｎ｜が差分しきい値Ａｔｈ以下である場合（ステップＳ００５、Ｙｅｓ）、干渉検出除去制御部２０６は、前回の干渉信号検出結果における先頭キャリア番号の差Ｄｐと、ステップＳ００４で求めた先頭キャリア番号の差Ｄｎとの差分｜Ｄｐ−Ｄｎ｜が、予め設定された差分しきい値Ｄｔｈ以下であるか否かを判定する（ステップＳ００６）。
【００３８】
差分｜Ｄｐ−Ｄｎ｜が差分しきい値Ｄｔｈ以下である場合（ステップＳ００６、Ｙｅｓ）、干渉検出除去制御部２０６は、パラメータｍをそれまでの１／２の値へと置き換える（ステップＳ００７）。ただし、パラメータｍは、最小値（本実施の形態では１）よりは小さくしないものとする。
【００３９】
次に、干渉検出除去制御部２０６は、前回の先頭キャリア番号の差Ｄｐに、ステップＳ００４で求めた先頭キャリア番号の差Ｄｎの値を代入する（ステップＳ００８）。差分｜Ａｐ−Ａｎ｜が差分しきい値Ａｔｈより大きい場合（ステップＳ００５、Ｎｏ）、あるいは差分｜Ｄｐ−Ｄｎ｜が差分しきい値Ｄｔｈより大きい場合（ステップＳ００６、Ｎｏ）も、ステップＳ００８の手順に移行する。
【００４０】
また、干渉検出除去制御部２０６は、前回の連続キャリア数Ａｐに、今回の連続キャリア数Ａｎの値を代入する（ステップＳ００９）。さらに、干渉検出除去制御部２０６は、前回の先頭キャリア番号Ｃｐに、今回の先頭キャリア番号Ｃｎの値を代入する（ステップＳ０１０）。
【００４１】
ステップＳ００１で得た連続キャリア数Ａｎが２未満である場合（ステップＳ００２、Ｎｏ）、干渉検出除去制御部２０６は、連続キャリア数Ａｎが１であるか否かを判定する（ステップＳ０１１）。連続キャリア数Ａｎが１である場合（ステップＳ０１１、Ｙｅｓ）、前回の先頭キャリア番号の差Ｄｐにゼロを代入する（ステップＳ０１２）。前回の連続キャリア数Ａｐが２未満である場合（ステップＳ００３、Ｎｏ）も、ステップＳ０１２の手順に移行する。ステップＳ０１２の次は、ステップＳ００９の手順に移行する。
【００４２】
ステップＳ００１で得た連続キャリア数Ａｎが１ではない場合（ステップＳ０１１、Ｎｏ）、干渉検出除去制御部２０６は、パラメータｍをそれまでの２倍の値へと置き換える（ステップＳ０１３）。ただし、パラメータｍは、最大値（本実施の形態では４）よりは大きくしないものとする。ステップＳ０１３の次は、ステップＳ０１２の手順に移行する。
【００４３】
次に、干渉検出除去制御部での平均化時間の調整による効果を図６から図８を参照して説明する。図６は、干渉信号の周波数の変動の例を示す図であって、キャリア数８で、干渉信号の周波数が時間４Ｔｍｉｎで２キャリア分変動する様子を示している。図７および図８は、干渉信号が検出されるキャリアの位置と時間との関係の例を示す図である。図７は平均化時間を調整しない場合、図８は平均化時間を調整した場合をそれぞれ表している。干渉検出除去制御部２０６は、干渉信号の周波数の変動を検出し、干渉信号の検出のための時間を調整する。
【００４４】
図６に示すような干渉信号が入った場合、平均化時間Ｔａｖｅを４Ｔｍｉｎとしたまま干渉検出部２０５で干渉検出を実行すると、図７に示すとおり、常に２キャリアにて干渉信号が検出され、それらが除去の対象となる。これに対して、図５に示す手順の処理を実施した場合、図８に示すとおり、８Ｔｍｉｎ以降、平均化時間Ｔａｖｅが２Ｔｍｉｎとされる。干渉信号は１キャリアにて検出されるようになり、除去の対象とするキャリア数を２つから１つへと減らすことができる。
【００４５】
干渉検出除去制御部２０６は、レベル制御部２０７に対して、レベル調整フラグを出力する。レベル調整フラグは、レベル調整無しおよび有りの二値であるものとする。干渉検出除去制御部２０６は、全キャリアの干渉信号検出結果より、干渉信号が含まれるキャリア数Ｎｃを計算する。キャリア数Ｎｃが予め設定されたキャリア数しきい値Ｎｃ＿ｔｈ以上である場合、干渉検出除去制御部２０６は、レベル調整無しとするレベル調整フラグを出力する。キャリア数Ｎｃがキャリア数しきい値Ｎｃ＿ｔｈより小さい場合、干渉検出除去制御部２０６は、レベル調整有りとするレベル調整フラグを出力する。
【００４６】
レベル制御部２０７は、干渉検出部２０５から出力される干渉信号検出結果と、干渉検出除去制御部２０６から出力されるレベル調整フラグとに応じてゲイン情報を生成し、出力する。レベル制御部２０７は、レベル調整無しとするレベル調整フラグが入力された場合、干渉信号検出結果に関係なく、ゲイン情報を１とする。レベル制御部２０７は、レベル調整有りとするレベル調整フラグが入力された場合は、干渉信号無しとする干渉信号検出結果であればゲイン情報を１とし、干渉信号有りとする干渉信号検出結果であればゲイン情報をゼロとする。
【００４７】
レベル調整部２０８は、レベル制御部２０７から入力されるゲイン情報を復調系列に乗算することにより、復調系列のレベル調整を実施する。ゲイン情報が１である場合、レベル調整部２０８は、復調系列に１を乗算して出力する。すなわち、レベル調整部２０８は、復調系列をそのままのレベルで出力する。ゲイン情報がゼロである場合、レベル調整部２０８は、復調系列にゼロを乗算して出力する。すなわち、レベル調整部２０８は、復調系列のレベルを全てゼロとする。
【００４８】
各キャリアのレベル調整復調系列は、結合部２０９に入力される。結合部２０９は、送信機１００の分割部１０３による処理とは逆の処理を行う。結合部２０９は、各キャリアのレベル調整復調系列のパラレルシリアル変換により、全復調系列を出力する。
【００４９】
全復調系列は、デインタリーブ部２１０に入力される。デインタリーブ部２１０は、送信機１００のインタリーブ部１０２と同じインタリーブパターンを内部に持つ。デインタリーブ部２１０は、インタリーブ部１０２における入力および出力を逆にした処理（デインタリーブ）によりビットの並び順を入れ替えて、デインタリーブ系列として出力する。
【００５０】
デインタリーブ系列は、復号部２１１に入力される。復号部２１１は、デインタリーブ系列にビタビ復号を施し、出力する。
【００５１】
以上のように、受信機２００は、干渉信号を含むキャリアの信号を除去することで、復号部２１１に大きなレベルの干渉信号成分が入力されることを防ぎ、干渉信号を含む場合の受信性能を改善することができる。また、干渉信号の周波数が変動する場合に、干渉信号を検出するための最適な平均化時間を選択して、除去するキャリアの数を最小限とすることによっても、受信機２００は受信性能を改善することができる。
【００５２】
実施の形態２．
以上の実施の形態１では、復調系列の電力に応じて干渉信号の検出を実施している。実施の形態２では、復調系列の信号対干渉電力比（ＳＩＲ）に応じて干渉信号の検出を実施する。本実施の形態は受信機２００の干渉検出部２０５およびレベル制御部２０７の処理が実施の形態１とは異なる。送信機１００、受信機２００の受信機能のための構成は、実施の形態１と同様とする。実施の形態１と重複する説明は、適宜省略する。
【００５３】
干渉検出部２０５は、復調系列のＳＩＲを測定し、測定により得たＳＩＲと予め設定されたしきい値ＳＩＲｔｈとを比較する。干渉検出部２０５は、測定により得たＳＩＲがしきい値ＳＩＲｔｈ以下である場合に干渉信号有り、しきい値ＳＩＲｔｈ未満である場合に干渉信号無し、と判定する。干渉検出部２０５は、干渉信号検出結果とともに、測定されたＳＩＲを出力する。
【００５４】
干渉検出除去制御部２０６は、干渉検出部２０５から出力される干渉信号検出結果を使用し、実施の形態１と同様の処理を実行する。干渉検出除去制御部２０６は、かかる処理において干渉検出部２０５から出力されるＳＩＲは使用しない。
【００５５】
レベル制御部２０７は、干渉検出部２０５から出力されるＳＩＲに応じてゲイン情報を生成する。図９は、レベル制御部におけるゲイン情報の生成について説明する図である。図９のグラフは、干渉検出部２０５が出力するＳＩＲを横軸、レベル制御部２０７が生成するゲイン情報を縦軸として表している。
【００５６】
レベル制御部２０７は、干渉検出部２０５から出力されたＳＩＲがＳＩＲ１以下である場合、ゲイン情報をゼロとし、ＳＩＲがＳＩＲ２以上である場合、ゲイン情報を１とする。ＳＩＲ１からＳＩＲ２の範囲においては、ＳＩＲとゲイン情報とは比例関係にあるものとする。レベル制御部２０７は、干渉検出部２０５から出力されたＳＩＲがＳＩＲ１からＳＩＲ２の範囲にある場合、この比例関係を用いて容易にゲイン情報を求めることができる。
【００５７】
図１０は、干渉検出部およびレベル制御部での処理による効果を説明する図である。図１０のグラフは、キャリア電力に対するノイズ電力の比（Ｃ／Ｎ）と、復号後のＢＥＲ特性との関係を表したイメージ図である。なお、ノイズ電力には干渉信号を含まないものとする。
【００５８】
図中、曲線（１）は、干渉信号が無く、復調系列の除去が無い場合の特性を表す。曲線（２）は、１つのキャリアに干渉信号があり、そのキャリアの復調系列を除去した場合の特性を表す。曲線（３）は、１つのキャリアに干渉信号があり、本実施の形態で説明するゲイン調整を実施した場合の特性を表す。
【００５９】
曲線（１）および（２）で示す性能差は、干渉信号のレベルに因らず一定であり、１つのキャリア分の復調系列の除去によって一定の劣化が生じることとなる。本実施の形態で説明するゲイン調整を実施した場合、曲線（２）で示す特性を、曲線（３）で示すように、曲線（１）の特性に近くなるように改善することができる。
【００６０】
以上のように、受信機２００は、ゲイン情報を１およびゼロのみとせずその中間の値を適切に使用することにより、あるキャリアの復調系列を除去した場合の性能を改善することができる。
【００６１】
実施の形態３．
図１１は、実施の形態３にかかる通信システムを構成する送信機の構成を示すブロック図である。図１２は、実施の形態３にかかる通信システムを構成する受信機の構成を示すブロック図である。上記の実施の形態と同一の部分には同一の符号を付し、重複する説明を適宜省略する。
【００６２】
図１１に示す送信機３００は、実施の形態１の送信機１００に機能およびブロックを追加したものである。インタリーブ部３０２および無線部３０６は、実施の形態１のインタリーブ部１０２および無線部１０６に対して機能が追加されている。受信部３０７およびインタリーブ制御部３０８は、本実施の形態にて追加されたブロックである。
【００６３】
インタリーブ部３０２は、インタリーブ制御部３０８から入力されるインタリーブパターンに従って符号化系列のインタリーブを実施し、インタリーブ系列を出力するブロックである。無線部３０６は、送信ベースバンド信号をＤ／Ａ変換後、アップコンバートを施し、送信波として出力する他、受信波にダウンコンバートを施し、Ａ／Ｄ変換して受信ベースバンド信号を生成する。
【００６４】
受信部３０７は、無線部３０６から出力された受信ベースバンド信号を復調してインタリーブパターン番号を出力するブロックである。インタリーブ制御部３０８は、受信部３０７から出力されたインタリーブパターン番号に従ってインタリーブパターンを選択し、出力するブロックである。
【００６５】
図１２に示す受信機４００は、実施の形態１の受信機２００に機能およびブロックを追加したものである。無線部４０１およびデインタリーブ部４１０は、実施の形態１の無線部２０１およびデインタリーブ部２１０に対して機能が追加されている。インタリーブパターン選択部４１２および送信部４１３は、本実施の形態にて追加されたブロックである。
【００６６】
無線部４０１は、受信波をダウンコンバートの後にＡ／Ｄ変換し、受信ベースバンド信号を出力する他、送信ベースバンド信号をＤ／Ａ変換後、アップコンバートを施し、送信波を生成する。デインタリーブ部４１０は、インタリーブパターン選択部４１２から入力されるインタリーブパターンに従って全復調系列にデインタリーブを施し、デインタリーブ系列として出力する。
【００６７】
インタリーブパターン選択部４１２は、各キャリアについて干渉検出部２０５からの干渉信号検出結果に応じてインタリーブパターンを選択し、そのパターン番号を送信部４１３に出力するブロックである。また、インタリーブパターン選択部４１２は、選択したデインタリーブパターンをデインタリーブ部４１０に出力する。送信部４１３は、インタリーブパターン選択部４１２から出力されるインタリーブパターン番号を変調し、送信ベースバンド信号として出力するブロックである。
【００６８】
次に、送信機３００の動作を説明する。インタリーブ部３０２は、符号化部１０１から出力される符号化系列に対し、インタリーブ制御部３０８から入力されるインタリーブパターンを基に、系列を並び替える。本実施形態のインタリーブ部３０２が実施の形態１の送信機１００のインタリーブ部１０２と異なるのは、インタリーブパターンがインタリーブ制御部３０８から入力される点であって、それ以外の処理は同じである。
【００６９】
無線部３０６は、送信ベースバンド信号に対する処理は送信機１００の無線部１０６と同じで、アンテナが受信する受信波に対する処理が追加されている。受信波は、無線部３０６でダウンコンバートの後にＡ／Ｄ変換され、受信ベースバンド信号とされる。無線部３０６は、本発明を限定する要素ではないものとする。
【００７０】
受信部３０７は、無線部３０６から出力される受信ベースバンド信号に対して受信処理を実施し、インタリーブパターン番号を出力する。なお、本処理は、本発明を限定するものではないものとする。本処理は、例えば、ＢＰＳＫ変調がなされた受信ベースバンド信号に対する復調処理や、誤り訂正符号を用いる場合はその復号処理を実施する、一般的な受信処理で良いものとする。
【００７１】
インタリーブ制御部３０８は、受信部３０７から入力されるインタリーブパターン信号を基に、インタリーブパターンテーブルからインタリーブパターンを選択する。図１３は、インタリーブパターンテーブルの一例を示す図である。ここでは、インタリーブパターンテーブルに、インタリーブパターン番号０から２のそれぞれに対応させた３通りのインタリーブパターンが格納されている場合を例とする。
【００７２】
インタリーブ制御部３０８は、インタリーブパターン番号０から２のいずれかのインタリーブパターンＰ０〜Ｐ１５を選択して、インタリーブ部３０２へ出力する。インタリーブ制御部３０８がインタリーブパターンを出力するタイミングは、所定のフレームタイミングとする。所定のフレームタイミングについては後述する。
【００７３】
次に、受信機４００の動作について説明する。無線部４０１は、受信波に対する処理は実施の形態１の受信機２００の無線部２０１と同じで、送信部４１３が出力する送信ベースバンド信号をＤ／Ａ変換後、アップコンバートを施し、送信波を生成する処理が追加されている。なお、本処理は、本発明を限定するものではないものとする。
【００７４】
デインタリーブ部４１０は、受信機２００のデインタリーブ部２１０がインタリーブパターンを内部に保持しているのに対して、インタリーブパターン選択部４１２からインタリーブパターンが入力される点が異なる。デインタリーブ部４１０によるその他の動作については、受信機２００のデインタリーブ部２１０と同じである。
【００７５】
インタリーブパターン選択部４１２は、各キャリアの干渉信号有りおよび無しの組み合わせが所定の回数連続して同じだった場合に、インタリーブパターンの変更を実施する。図１４は、インタリーブパターン選択テーブルの一例を示す図である。インタリーブパターン選択テーブルは、各キャリアＣ１〜Ｃ１５の干渉信号有りおよび無しの組み合わせと、インタリーブパターン番号とを対応づけて保持する。インタリーブパターン選択部４１２は、インタリーブパターン選択テーブルを参照し、干渉検出部２０５による干渉信号検出結果における干渉信号有りおよび無しの組み合わせに応じたインタリーブパターン番号を選択する。
【００７６】
インタリーブパターン選択部４１２は、送信機３００のインタリーブ制御部３０８と同じインタリーブパターンテーブルを持つ。インタリーブパターン選択部４１２は、選択したインタリーブパターン番号に相当するインタリーブパターンをデインタリーブ部４１０に対して出力する。また、インタリーブパターン選択部４１２は、選択したインタリーブパターン番号を送信部４１３に対して出力する。
【００７７】
インタリーブパターン選択部４１２がデインタリーブ部４１０に対してインタリーブパターンを出力するタイミングは、所定のフレームタイミングとする。所定のフレームタイミングについては後述する。なお、干渉信号有りおよび無しの組み合わせに対するインタリーブパターン番号は、符号化として畳み込み符号化を用いる場合は、畳み込み符号化の出力ペアのいずれもが除去されないようなパターンが選択される。
【００７８】
インタリーブパターン番号は、インタリーブパターン選択部４１２から送信部４１３へ入力される。インタリーブパターン番号は、送信部４１３での送信処理が施され、送信ベースバンド信号として出力される。なお、本処理は、本発明を限定するものではないものとする。
【００７９】
送信機３００および受信機４００は、共通のフレームタイミングを持ち、フレーム単位でインタリーブパターンを更新する。図１５は、インタリーブパターンの更新について具体的に説明する図であって、フレーム０〜５での送信機３００および受信機４００間での送受信のイメージを示している。送信機３００から受信機４００への送信に関しては、送信機３００のインタリーブ部３０２で使用しているインタリーブパターン番号を示している。受信機４００から送信機３００への送信に関しては、受信機４００から送信機３００に通知されるインタリーブパターン信号を示している。
【００８０】
まず、受信機４００のインタリーブパターン選択部４１２で、インタリーブパターン番号０のインタリーブパターン（以下、単に「パターン０」と称する）から、インタリーブパターン番号１のインタリーブパターン（以下、単に「パターン１」と称する）への変更が発生したとする。これに応じて、受信機４００は、例えばフレーム１にてインタリーブパターン番号１を送信したとする。
【００８１】
送信機３００は、フレーム１における受信処理結果からインタリーブパターン番号１を検出すると、フレーム３の送信からパターン１を使用してインタリーブを実施する。受信機４００も、パターン０からパターン１へと変更して、フレーム３の受信からパターン１を使用する。
【００８２】
以上のように、受信機４００は、干渉信号があるキャリアの組み合わせ、すなわち除去するキャリアの組み合わせによってインタリーブパターンを変更することにより、復号性能を劣化させずに受信することができる。
【００８３】
実施の形態４．
図１６は、実施の形態４にかかる通信システムを構成する送信機の構成を示すブロック図である。図１７は、実施の形態４にかかる通信システムを構成する受信機の構成を示すブロック図である。上記の実施の形態と同一の部分には同一の符号を付し、重複する説明を適宜省略する。
【００８４】
図１６に示す送信機５００は、実施の形態３の送信機３００に機能およびブロックを追加したものである。受信部５０７は、実施の形態３の受信部３０７に機能が追加されたブロックである。拡散制御部５０９、拡散部５１０および伝送レート制御部５１１は、本実施の形態にて追加されたブロックである。
【００８５】
受信部５０７は、受信ベースバンド信号に対して受信処理を実施し、インタリーブパターン番号および拡散率を出力するブロックである。拡散制御部５０９は、所定のタイミングで拡散率を出力するブロックである。拡散部５１０は、拡散制御部５０９から出力される拡散率に応じて送信ビット系列を拡散し、拡散系列を出力するブロックである。伝送レート制御部５１１は、伝送レートを制御する。
【００８６】
図１７に示す受信機６００は、実施の形態３の受信機４００に機能およびブロックを追加したものである。送信部６１３は、実施の形態３の送信部４１３に機能が追加されたブロックである。拡散率計算部６１４および逆拡散部６１５は、本実施の形態にて追加されたブロックである。
【００８７】
送信部６１３は、インタリーブパターン選択部４１２から出力されたインタリーブパターン番号と、拡散率計算部６１４から出力された拡散率とを送信処理し、送信ベースバンド信号として出力するブロックである。拡散率計算部６１４は、各キャリアについて干渉検出部２０５から出力される干渉信号検出結果とＳＩＲとから拡散率を計算し、送信部６１３および逆拡散部６１５に出力するブロックである。逆拡散部６１５は、拡散率計算部６１４から出力される拡散率に応じてレベル調整復調系列を逆拡散し、逆拡散系列を出力するブロックである。
【００８８】
次に、送信機５００の動作を説明する。受信部５０７は、送信機３００の受信部３０７と同様の動作によりインタリーブパターン番号を出力するとともに、拡散率を出力する。拡散率は、拡散制御部５０９と伝送レート制御部５１１とへ入力される。
【００８９】
伝送レート制御部５１１は、拡散制御部５０９からの拡散率に応じた伝送レート情報を、送信機５００にデータを入力するためのブロック（不図示）へ出力する。伝送レート制御部５１１は、拡散率１の場合の伝送レートを拡散率ｓｆで割った値を伝送レートとする。
【００９０】
拡散制御部５０９は、受信部５０７から入力される拡散率を、所定のフレームタイミングで拡散部５１０に出力する。所定のフレームタイミングについては後述する。
【００９１】
拡散部５１０は、分割部１０３から入力される送信ビット系列と拡散符号との排他的論理和を計算する。拡散符号は、ＰＮ符号やＧｏｌｄ符号などの、「０」および「１」の擬似ランダム系列として、フレーム長に合わせた系列長で生成される。拡散符号は、フレームタイミングを系列の先頭として、先頭から順に生成される。排他的論理和の計算のための拡散符号のビット数と、その計算結果として出力するビット数とは、いずれも拡散率ｓｆによって決められ、送信ビット１ビットに対して、ともにｓｆビットとされる。
【００９２】
次に、受信機６００の動作を説明する。拡散率計算部６１４は、各キャリアについて干渉検出部２０５から出力される干渉信号検出結果とＳＩＲとを基に拡散率を決定する。まず、拡散率計算部６１４は、干渉信号検出結果から干渉信号有りとされたキャリア数Ｎｃをカウントする。カウントされたキャリア数Ｎｃが予め設定されたしきい値Ｎｃ＿ｔｈ以上の場合、次のステップにおいて、拡散率計算部６１４は、全キャリアのＳＩＲの平均ＳＩＲａｌｌを計算する。
【００９３】
図１８は、拡散率計算部において拡散率を判定するための判定式の例を示す図である。拡散率計算部６１４は、拡散率１、２、４、８、１６、３２につき、それぞれＳＩＲａｌｌによる判定式を保持する。拡散率計算部６１４は、算出したＳＩＲａｌｌがいずれの判定式に該当するかを判定し、該当する判定式の拡散率を選択する。なお、図中のＳＩＲの単位はｄＢとする。ＳＩＲｂａｓｅは、拡散率１で通信可能なＳＩＲの下限値とする。
【００９４】
拡散率計算部６１４は、決定した拡散率を、所定のフレームタイミングで逆拡散部６１５に出力する。所定のフレームタイミングについては後述する。拡散率計算部６１４は、受信機６００を制御する上位ブロック（不図示）に拡散率を出力し、復号部２１１から出力されるデータのレート情報として使用する。
【００９５】
送信部６１３は、インタリーブパターン選択部４１２から出力されるインタリーブパターン番号と、拡散率計算部６１４から出力される拡散率とを、受信機４００の送信部４１３と同様に処理し、送信ベースバンド信号として出力する。
【００９６】
逆拡散部６１５は、レベル調整部２０８から出力されるレベル調整復調系列を、拡散率計算部６１４から入力される拡散率に従って逆拡散し、逆拡散系列として結合部２０９へ出力する。逆拡散は、レベル調整復調系列に拡張符号を乗算し、拡散率分を加算する処理である。
【００９７】
拡散符号は、送信機５００の拡散部５１０で使用された擬似ランダム系列の「０」を「１」に、「１」を「−１」にそれぞれ置き換えたものとする。逆拡散部６１５は、フレームの先頭から順に、レベル調整復調系列に拡散符号を乗算し、拡散率分を加算したものを逆拡散系列として出力する。受信機６００は、逆拡散を実施することで、復調系列のＳＩＲが拡散率分改善するため、受信性能が改善する。
【００９８】
送信機５００および受信機６００は、共通のフレームタイミングを持ち、フレーム単位で拡散率を更新する。図１９は、拡散率の更新について具体的に説明する図であって、フレーム０〜５での送信機５００および受信機６００間での送受信のイメージを示している。送信機５００から受信機６００への送信に関しては、送信機５００で使用している拡散率を示している。受信機６００から送信機５００への送信に関しては、受信機６００から送信機５００に通知される拡散率を示している。
【００９９】
まず、受信機６００の拡散率計算部６１４で、拡散率が１から４へ変更したとする。これに応じて、受信機６００は、例えばフレーム１にて拡散率４を送信したとする。送信機５００は、フレーム１における受信処理結果から拡散率４を検出すると、フレーム３の受信から拡散率４を使用して、伝送レートの制御および拡散を実施する。受信機６００も、拡散率を１から４へ変更し、フレーム３の受信から拡散率４を使用して逆拡散を実施する。なお、本実施の形態では、使用する拡散率は全キャリアで共通としているが、キャリアごとに変更することとしても良い。例えば、拡散率は、キャリアのＳＩＲに応じて変更しても良い。
【０１００】
以上により、干渉信号がしきい値Ｎｃ＿ｔｈ以上の数のキャリアに含まれる場合、その信号のＳＩＲに応じて通信可能な拡散率を選択することが可能となり、その品質で通信可能な伝送速度で通信を継続することができる。また、伝送速度を変更しても送信信号の周波数帯域は変わらないため、周波数スペクトルマスクの規定を守ることができる。
【０１０１】
実施の形態５．
実施の形態２では、復調系列のＳＩＲ（信号対干渉電力比）に応じてゲイン情報を更新することで、キャリアの復調系列を除去した場合の性能を改善することとしている。ＳＩＲは、一般に、送信機が既知信号を送信し、受信機において既知信号と受信信号との差分を計算することで求められる。本実施の形態にかかる通信システムでは、既知信号を用いずにＳＩＲを推定することで、既知信号の送信のための無線リソースの削減が可能となる。
【０１０２】
本実施の形態にかかる通信システムにおける送信機１００の構成は、実施の形態１の送信機１００と同様とする。上記の実施の形態と同一の部分には同一の符号を付し、重複する説明を適宜省略する。
【０１０３】
図２０は、実施の形態５にかかる通信システムを構成する受信機の構成を示すブロック図である。本実施の形態の受信機７００は、実施の形態１の受信機２００の構成の一部を変更したものである。レベル測定部７０１は、実施の形態１の干渉検出部２０５に代えて設けられている。基準電力算出部７０２は、実施の形態１の干渉検出除去制御部２０６に代えて設けられている。レベル制御部２０７は、本実施の形態と実施の形態１とでは同様の構成を備えるが、処理内容が異なる。以下、受信機７００について、実施の形態１の受信機２００と異なる処理について説明する。
【０１０４】
レベル測定部７０１は、キャリア受信信号を復調した復調系列の受信電力と、復調系列のＳＩＲとを測定する。レベル測定部７０１は、受信電力の測定結果を基準電力算出部７０２へ通知する。レベル測定部７０１は、ＳＩＲおよび受信電力の測定結果をレベル制御部２０７へ通知する。
【０１０５】
ここで、図２１を参照して、ＳＩＲの測定方法について説明する。送信信号がＱＰＳＫ変調されている場合、理想的には、受信信号は図２１に示す複素平面上の４つの象限のそれぞれに現れる。ただし、既知信号が無い場合はいずれの象限にて受信信号を受信するか不明であることから、レベル測定部７０１は、受信信号を無変調化する。例えば、図２１に示す４点の信号を受信した場合に、（−１，１）、（−１，−１）および（１，−１）の各点については符号を削除し、（１，１）とする。
【０１０６】
図２２は、平均ベクトルおよび瞬時ベクトルを示す図である。レベル測定部７０１は、無変調化した受信信号の平均ベクトルを求めてから、以下の計算によりＳＩＲを算出する。ここでは、瞬時ベクトルとは、無変調化した受信信号のベクトルとする。
ＳＩＲ＝（平均ベクトル）２／｛（瞬時ベクトル）−（平均ベクトル）｝２
【０１０７】
かかるＳＩＲ測定方法では、雑音や干渉が小さい場合、受信信号は送信信号と同一の象限にて受信することとなる。この場合、レベル測定部７０１は、受信信号を無変調化してもＳＩＲを正しく測定することができる。一方、雑音や干渉が増大すると、受信信号は送信信号と異なる象限にて受信することとなる。この場合、受信信号を無変調化することで、瞬時ベクトルと平均ベクトルとの差が小さくなることから、ＳＩＲが実際の値よりも大きく測定され得るという問題がある。
【０１０８】
そこで、後述するレベル制御部２０７は、レベル測定部７０１により測定されたＳＩＲの信頼度を推定する。これにより、レベル調整部２０８は、信頼度が高いＳＩＲを用いて受信信号のレベルを調整することが可能となる。
【０１０９】
基準電力算出部７０２は、各キャリアについてレベル測定部７０１から通知された受信電力を基に、基準電力を算出する。ここで、基準電力とは、干渉を受けていないであろうキャリアの受信電力を指すものとする。受信電力は、例えば、各キャリアについてレベル測定部７０１から通知された受信電力のうち最も小さい電力値とする。また、受信電力は、各キャリアについてレベル測定部７０１から通知された受信電力のうち、最小レベルと認められた複数の電力値の平均としても良い。
【０１１０】
レベル制御部２０７は、レベル測定部７０１から通知されたＳＩＲおよび受信電力と、基準電力算出部７０２から通知された基準電力とを基に、レベル制御情報（ゲイン情報）を生成する。レベル制御部２０７は、例えば、以下の手順により、ゲイン情報を生成する。
【０１１１】
受信電力と基準電力との比である相対電力がしきい値以上である場合、レベル制御部２０７は、レベル測定部７０１から通知されたＳＩＲの信頼度は低いと推定し、ゲイン情報をゼロとする。なお、ＳＩＲの信頼度は低いと推定されたキャリアでは、他のキャリアに比べて雑音や干渉が大きいために、送信信号の象限とは異なる象限で受信信号が受信されたと推定できる。一方、相対電力がしきい値未満である場合、レベル制御部２０７は、レベル測定部７０１から通知されたＳＩＲをゲイン情報とする。
【０１１２】
レベル制御部２０７は、レベル測定部７０１から通知されたＳＩＲに、相対電力に応じた補正を実施しても良い。この場合、レベル制御部２０７は、例えば以下の式を用いて、補正後のＳＩＲ’を求める。レベル制御部２０７は、補正後のＳＩＲ’をゲイン情報とする。なお、この式はデシベル上での計算とする。αは任意の係数とする。
ＳＩＲ’＝ＳＩＲ−α×（相対電力）
【０１１３】
レベル制御部２０７は、レベル測定部７０１から通知された受信電力と、基準電力算出部７０２から通知された基準電力に基づいてＳＩＲを推定してもよい。この場合、レベル制御部２０７は、例えば以下の式を用いて、ＳＩＲを求める。レベル制御部２０７は、推定したＳＩＲをゲイン情報とする。なお、この式は真値上での計算とする。
ＳＩＲ＝基準電力÷（受信電力−基準電力）
【０１１４】
レベル調整部２０８は、レベル制御部２０７から通知されたゲイン情報を復調系列に乗算することにより、復調系列のレベル調整を実施する。なお、レベル調整部２０８より後段の処理は、実施の形態１と同様とする。
【０１１５】
以上説明するように、本実施の形態の受信機７００は、各キャリアの復調結果から受信信号とＳＩＲとを測定し、各キャリアの受信信号から基準電力を求める。受信機７００は、各キャリアの受信電力、ＳＩＲおよび基準電力からゲイン情報を求め、当該ゲイン情報を受信信号に乗算する。これにより、既知信号を用いずにＳＩＮを測定した場合において、雑音や干渉に対するＳＩＲの測定精度を保証し、ゲイン情報の乗算による適切な重み付けを受信信号に施すことで、高品質なデータ伝送を実現することができる。なお、実施の形態の全般について、ＳＩＲをＳＩＮＲ（信号対干渉およびノイズ電力比）と置き換えても良い。
【産業上の利用可能性】
【０１１６】
以上のように、本発明にかかる受信機および通信システムは入力データ系列を複数の送信データ系列に分割し、それぞれ異なるキャリアで送信する場合に有用である。
【符号の説明】
【０１１７】
１００、３００、５００  送信機
１０１  符号化部
１０２、３０２  インタリーブ部
１０３  分割部
１０４  変調部
１０５  合波部
１０６、３０６  無線部
２００、４００、６００、７００  受信機
２０１、４０１  無線部
２０２  分波部
２０３  復調部
２０４  遅延部
２０５  干渉検出部
２０６  干渉検出除去制御部
２０７  レベル制御部
２０８  レベル調整部
２０９  結合部
２１０、４１０  デインタリーブ部
２１１  復号部
３０７、５０７  受信部
３０８  インタリーブ制御部
４１２  インタリーブパターン選択部
４１３、６１３  送信部
５０９  拡散制御部
５１０  拡散部
５１１  伝送レート制御部
６１４  拡散率計算部
６１５  逆拡散部
７０１  レベル測定部
７０２  基準電力算出部
【図１】
0005717580.tif 000002
【図２】
0005717580.tif 000003
【図３】
0005717580.tif 000004
【図４】
0005717580.tif 000005
【図５】
0005717580.tif 000006
【図６】
0005717580.tif 000007
【図７】
0005717580.tif 000008
【図８】
0005717580.tif 000009
【図９】
0005717580.tif 000010
【図１０】
0005717580.tif 000011
【図１１】
0005717580.tif 000012
【図１２】
0005717580.tif 000013
【図１３】
0005717580.tif 000014
【図１４】
0005717580.tif 000015
【図１５】
0005717580.tif 000016
【図１６】
0005717580.tif 000017
【図１７】
0005717580.tif 000018
【図１８】
0005717580.tif 000019
【図１９】
0005717580.tif 000020
【図２０】
0005717580.tif 000021
【図２１】
0005717580.tif 000022
【図２２】
0005717580.tif 000023